(57)【要約】【課題】消費電力が低く、患者の経済的負担を軽減することのできる安全性に優れた医療用酸素濃縮装置を提供する。【解決手段】医療用酸素濃縮装置を、原料空気に含まれる窒素を選択的に吸着しうる吸着剤が収容された吸着筒１a，１ｂと、吸着筒１ａ，１ｂに接続される流路を切り替えるための吸着筒切替弁２a，２ｂ，２ｃ，２ｄと、吸着剤に窒素が吸着されて酸素濃度が高められた酸素濃縮ガスを吸着筒１a，１ｂから取り出すための昇圧ポンプ３と、吸着筒１a，１ｂから取り出された酸素濃縮ガスを貯留するための貯留タンク４と、使用する酸素濃縮ガスの流量を設定するための流量設定手段５と、流量設定手段５に設定された流量に応じて貯留タンク４から取り出す酸素濃縮ガスの流量を制御する流量制御手段６と、吸着筒１a，１ｂの圧力を真空領域にまで低下させる真空ポンプ７とを備えたものとした。【選択図】図１
2007296203.tif 000002
【特許請求の範囲】
【請求項１】
（ａ）原料空気に含まれる窒素を選択的に吸着しうる吸着剤が収容された複数の吸着筒と、
（ｂ）それぞれの吸着筒に接続される流路を切り替えるための吸着筒切替弁と、
（ｃ）吸着剤に窒素が吸着されて酸素濃度が高められた酸素濃縮ガスを吸着筒から取り出すための昇圧ポンプと、
（ｄ）吸着筒から取り出された酸素濃縮ガスを一時的に貯留するための貯留タンクと、
（ｅ）貯留タンクから取り出して使用する酸素濃縮ガスの流量を設定するための流量設定手段と、
（ｆ）流量設定手段に設定された流量に応じて貯留タンクから取り出す酸素濃縮ガスの流量を制御する流量制御手段と、
（ｇ）吸着筒の圧力を真空領域になるまで低下させる真空ポンプとを備え、
減圧状態の吸着筒に原料空気を自然流入させて該吸着筒の圧力を大気圧近傍まで上昇させ、原料空気に含まれる窒素を吸着剤に吸着させることによって酸素濃縮ガスを生成する吸着工程と、
吸着筒の圧力を真空領域になるまで低下させ、吸着剤に吸着されていた窒素を脱離させて吸着筒の外部へ排出することによって吸着剤の吸着能を再生する再生工程とを、
それぞれの吸着筒で順次行い、それぞれの吸着筒の圧力を真空領域と大気圧近傍との間で変動させることにより、酸素濃縮ガスを生成して患者に供給することができるようにしたことを特徴とする医療用酸素濃縮装置。
【請求項２】
真空ポンプが交流モータによって駆動されるものであり、流量設定手段に設定された流量が多い場合には再生工程を行う時間が短く設定され、流量設定手段に設定された流量が少ない場合には再生工程を行う時間が長く設定される請求項１記載の医療用酸素濃縮装置。
【請求項３】
起動開始から所定時間が経過するまでの間は真空ポンプを駆動する交流モータの電圧が高く設定され、起動開始から所定時間が経過した後は真空ポンプを駆動する交流モータの電圧が低く設定される請求項２記載の医療用酸素濃縮装置。
【請求項４】
真空ポンプが直流ブラシレスモータによって駆動されるものであり、流量設定手段に設定された流量が多い場合には、直流ブラシレスモータの回転数が高く設定され、流量設定手段に設定された流量が少ない場合には、直流ブラシレスモータの回転数が低く設定される請求項１記載の医療用酸素濃縮装置。
【請求項５】
それぞれの吸着筒における酸素濃縮ガス導出側の端部同士が並列配置された均圧弁及びパージ弁を介して接続され、流量設定手段に設定された流量が多い場合には、均圧弁又はパージ弁を開く時間が長く設定され、流量設定手段に設定された流量が少ない場合には、均圧弁又はパージ弁を開く時間が短く設定される請求項１〜４いずれか記載の医療用酸素濃縮装置。
【請求項６】
装置停止時には、真空ポンプよりも先に昇圧ポンプが停止し、その後所定時間が経過してから真空ポンプが停止するように設定された請求項１〜５いずれか記載の医療用酸素濃縮装置。
【請求項７】
真空ポンプの空気排出側に消音器を設けた請求項１〜６いずれか記載の医療用酸素濃縮装置。
【請求項８】
流量設定手段が押ボタンスイッチ式のものである請求項１〜７いずれか記載の医療用酸素濃縮装置。
【請求項９】
（ａ）原料空気に含まれる窒素を選択的に吸着しうる吸着剤が収容された複数の吸着筒と、
（ｂ）それぞれの吸着筒に接続される流路を切り替えるための吸着筒切替弁と、
（ｃ）吸着剤に窒素が吸着されて酸素濃度が高められた酸素濃縮ガスを吸着筒から取り出すための昇圧ポンプと、
（ｄ）吸着筒から取り出された酸素濃縮ガスを一時的に貯留するための貯留タンクと、
（ｅ）貯留タンクから取り出して使用する酸素濃縮ガスの流量を設定するための流量設定手段と、
（ｆ）流量設定手段に設定された流量に応じて貯留タンクから取り出す酸素濃縮ガスの流量を制御する流量制御手段と、
（ｇ）吸着筒の圧力を真空領域になるまで低下させる真空ポンプとを備えた医療用酸素濃縮装置の作動方法であって、
減圧状態の吸着筒に原料空気を自然流入させて該吸着筒の圧力を大気圧近傍まで上昇させ、原料空気に含まれる窒素を吸着剤に吸着させることによって酸素濃縮ガスを生成する吸着工程と、
吸着筒の圧力を真空領域になるまで低下させ、吸着剤に吸着されていた窒素を脱離させて吸着筒の外部へ排出することによって吸着剤の吸着能を再生する再生工程とを、
それぞれの吸着筒で順次行い、それぞれの吸着筒の圧力を真空領域と大気圧近傍との間で変動させることにより、酸素濃縮ガスを生成して患者に供給することができるようにしたことを特徴とする医療用酸素濃縮装置の作動方法。
【発明の詳細な説明】
【技術分野】
【０００１】
本発明は、酸素濃度を高めた酸素濃縮ガスを肺気腫や気管支炎などの呼吸器系の疾患を患っている患者に供給するための医療用酸素濃縮装置と、その作動方法に関する。
【背景技術】
【０００２】
肺気腫や気管支炎などの呼吸器系疾患を治療するのに有効な方法として酸素吸入療法が知られている。酸素吸入療法は、酸素濃縮ガスを患者に吸入させることによって酸素不足に陥っている組織細胞に酸素を供給し、組織細胞の機能を維持することにより、息苦しさなど、患者が感じる苦痛を緩和するものである。１９８５年からは、在宅での酸素吸入療法にも医療保険が適用されるようになり、在宅で酸素吸入療法を受ける患者が増えてきている。
【０００３】
酸素吸入療法で患者が吸入する酸素濃縮ガスの供給源は、従来、酸素ボンベや液体酸素タンクであることが多かったが、近年、医療用酸素濃縮装置と呼ばれる装置に鼻カニューラや鼻マスクを接続して吸入することも多くなってきている。医療用酸素濃縮装置は、周囲の空気からその場で酸素濃縮ガスを生成でき、酸素ボンベや液体酸素タンクなどのように空になる心配がないので、在宅で酸素吸入療法を受ける患者が手軽に利用することができるものとなっている。酸素ボンベや液体酸素タンクが空になるのを心配しながら酸素吸入するのは、患者の精神的な不安を高めることになり、好ましいことではない。
【０００４】
医療用酸素濃縮装置は、周囲の空気（原料空気）に含まれる窒素を選択的に吸着する吸着剤を用いて酸素濃縮ガスを得る圧力変動吸着方式のものと、酸素透過膜を用いて酸素濃縮ガスを得る分離膜方式のものとに大別されるが、酸素濃度の高い酸素濃縮ガスを得やすいという理由から、圧力変動吸着方式のものが主流となってきている。
【０００５】
圧力変動吸着方式の医療用酸素濃縮装置は、原料空気に含まれる窒素を選択的に吸着しうる吸着剤が収容された複数の吸着筒と、原料空気を圧縮して吸着筒へ移送するためのコンプレッサーと、吸着筒から取り出された酸素濃縮ガスを一時的に貯留するための貯留タンクと、それぞれの吸着筒に接続される流路を切り替えるための吸着筒切替弁とを備えたものが一般的となっている（例えば、特許文献１）。
【０００６】
圧力変動吸着方式の医療用酸素濃縮装置では、原料空気を圧縮して吸着筒へ移送し、吸着筒の圧力を大気圧以上に上昇させることにより、原料空気に含まれる窒素を吸着剤に吸着させる吸着工程と、吸着筒の圧力を大気圧近傍まで低下させることにより吸着剤に吸着されていた窒素を脱離させる再生工程とが交互に切り替えられ、酸素濃縮ガスが得られるようになっている。
【０００７】
この種の医療用酸素濃縮装置には、通常、貯留タンクから取り出して使用する酸素濃縮ガスの流量を調節するための流量調節手段が設けられており、吸入する酸素濃縮ガスの流量を医師の処方によって定められた値に患者が適宜設定することができるようになっている。
【０００８】
この種の医療用酸素濃縮装置は、小型で使い勝手がよく、在宅での酸素吸入療法に適したものではあったが、コンプレッサーで原料空気を圧縮して吸着筒へ移送するものとなっており、消費電力の低減が困難なものとなっていた。また、コンプレッサーの故障などが原因で原料空気の圧力が異常に上昇して患者が危険にさらされるのを防止するために、原料空気の圧力が許容値を超えると原料空気を自動的にリークする安全弁などを設ける必要があった。医療用酸素濃縮装置をより普及させるためには、省電力化だけでなく、患者の安全性を十分に配慮した設計が求められる。
【０００９】
ところで、大量の酸素濃縮ガスを製造することが要求される工業用酸素濃縮装置では、真空ポンプによって再生工程時に吸着筒の圧力を真空領域まで低下させるものが提案されている（例えば、特許文献２）。これにより、再生工程を終えて圧力が真空領域にまで低下している吸着筒に原料空気を自然流入させただけで吸着工程を行うことが可能になる。
【００１０】
この種の工業用酸素濃縮装置は、コンプレッサーで原料空気を圧縮して吸着筒へ移送しなくても吸着工程を行うことができるために、消費電力の低減が可能なものであった。しかし、消費電力の低減だけでなく、患者の安全性に十分に配慮する必要がある医療用酸素濃縮装置でこのような工夫を施したものは見当たらなかった。
【００１１】
【特許文献１】特開２００５−０５８４６９号公報
【特許文献２】特開２００４−２６２７４３号公報
【発明の開示】
【発明が解決しようとする課題】
【００１２】
本発明は、上記課題を解決するためになされたものであり、消費電力が低く、患者の経済的負担を軽減することのできる安全性に優れた医療用酸素濃縮装置を提供するものである。
【課題を解決するための手段】
【００１３】
上記課題は、
（ａ）原料空気に含まれる窒素を選択的に吸着しうる吸着剤が収容された複数の吸着筒と、
（ｂ）それぞれの吸着筒に接続される流路を切り替えるための吸着筒切替弁と、
（ｃ）吸着剤に窒素が吸着されて酸素濃度が高められた酸素濃縮ガスを吸着筒から取り出すための昇圧ポンプと、
（ｄ）吸着筒から取り出された酸素濃縮ガスを一時的に貯留するための貯留タンクと、
（ｅ）貯留タンクから取り出して使用する酸素濃縮ガスの流量を設定するための流量設定手段と、
（ｆ）流量設定手段に設定された流量に応じて貯留タンクから取り出す酸素濃縮ガスの流量を制御する流量制御手段と、
（ｇ）吸着筒の圧力を真空領域になるまで低下させる真空ポンプとを備え、
減圧状態の吸着筒に原料空気を自然流入させて該吸着筒の圧力を大気圧近傍まで上昇させ、原料空気に含まれる窒素を吸着剤に吸着させることによって酸素濃縮ガスを生成する吸着工程と、
吸着筒の圧力を真空領域になるまで低下させ、吸着剤に吸着されていた窒素を脱離させて吸着筒の外部へ排出することによって吸着剤の吸着能を再生する再生工程とを、
それぞれの吸着筒で順次行い、それぞれの吸着筒の圧力を真空領域と大気圧近傍との間で変動させることにより、酸素濃縮ガスを生成して患者に供給することができるようにしたことを特徴とする医療用酸素濃縮装置
を提供することによって解決される。
【００１４】
ここで、「真空領域」とは、好適には、真空度が５０ｋＰａ以上の状態をいい、より好適には６０ｋＰａ以上の状態を、さらに好適には７０ｋＰａ以上の状態をいう。また、「大気圧近傍」とは、圧力が大気圧に近い状態のことをいう。好適には、真空度が２０ｋＰａ以下の状態を、より好適には真空度が１０ｋＰａ以下の状態を、さらに好適には、真空度が５ｋＰａ以下の状態をいう。さらに、「減圧状態」とは、好適には、真空度が３０ｋＰａ以上の状態をいい、より好適には５０ｋＰａ以上の状態をいう。
【００１５】
このように、再生工程にある吸着筒の圧力を真空領域まで低下させることによって、原料空気を吸着筒の内部へ自然流入させることができるようになる。したがって、原料空気をコンプレッサーで圧縮して吸着筒へ移送しなくても吸着工程を行うことが可能になり、原料空気の圧力の異常な上昇が生じないようにして医療用酸素濃縮装置の安全性を高めることが可能になる。また、医療用酸素濃縮装置の消費電力を抑えることも可能になる。
【００１６】
真空ポンプを駆動するモータの種類は、とくに限定されないが、真空ポンプが交流モータによって駆動されるものであり、流量設定手段に設定された流量が多い場合には再生工程を行う時間が短く設定され、流量設定手段に設定された流量が少ない場合には再生工程を行う時間が長く設定されると好ましい。
【００１７】
これにより、流量設定手段に設定された流量が少ない場合に、真空ポンプを駆動するモータにかかる負荷を軽減することができるようになり、医療用酸素濃縮装置の消費電力をさらに抑えることも可能になる。また、真空ポンプを交流モータで駆動することによって、真空ポンプから発せられる電磁的ノイズを抑えるだけでなく、真空ポンプの価格を安く抑えることも可能になる。
【００１８】
真空ポンプを交流モータで駆動する場合には、起動開始から所定時間が経過するまでの間は真空ポンプを駆動する交流モータの電圧が高く設定され、起動開始から所定時間が経過した後は真空ポンプを駆動する交流モータの電圧が低く設定されると好ましい。これにより、真空ポンプを速やかに駆動しながらも、真空ポンプの消費電力を低く抑えることが可能になる。
【００１９】
一方、真空ポンプが直流ブラシレスモータによって駆動されるものであり、流量設定手段に設定された流量が多い場合には、直流ブラシレスモータの回転数が高く設定され、流量設定手段に設定された流量が少ない場合には、直流ブラシレスモータの回転数が低く設定されると好ましい。これにより、流量設定手段に設定された流量が少ない場合には、真空ポンプを駆動する直流ブラシレスモータの消費電力を抑えることが可能になる。また、流量設定手段に設定された酸素濃縮ガスの流量に応じて、再生工程、上部均圧工程又は下部均圧工程を行う時間の長さを変更することも好ましい。これにより、医療用酸素濃縮装置をより最適な条件で運転することが可能になり、医療用酸素濃縮装置の消費電力を従来品に比べて大幅に低減することができる。直流ブラシレスモータをインバータ回転制御する際には、電気的ノイズを抑える手段を設けると好ましい。
【００２０】
ところで、それぞれの吸着筒における酸素濃縮ガス導出側の端部同士が並列配置された均圧弁及びパージ弁を介して接続され、流量設定手段に設定された流量が多い場合には、均圧弁又はパージ弁を開く時間が長く設定され、流量設定手段に設定された流量が少ない場合には、均圧弁又はパージ弁を開く時間が短く設定されると好ましい。これにより、酸素濃縮ガスをさらに効率的に生成することが可能になる。均圧弁とパージ弁については後述する。
【００２１】
また、装置停止時には、真空ポンプよりも先に昇圧ポンプが停止し、その後所定時間が経過してから真空ポンプが停止するように設定されることも好ましい。これにより、吸着筒に残留する水分を真空ポンプで吸い出してから医療用酸素濃縮装置を停止することが可能になり、吸着剤の吸着性能の低下を防止することが可能になる。
【００２２】
さらに、真空ポンプの空気排出側に消音器を設けることも好ましい。これにより、真空ポンプから送出されたガスの脈動に起因する不快な騒音を軽減することが可能になる。したがって、医療用酸素濃縮装置を在宅で用いるのにより好適なものとすることができる。
【００２３】
さらにまた、流量設定手段は、つまみを回転操作することによって取り出す酸素濃縮ガスの流量を設定できるようにしたつまみ式のものであってもよいが、押ボタンスイッチ式のものであると好ましい。これにより、指先が不自由な人であっても、酸素濃縮ガスの流量を容易に設定することができるようになる。
【発明の効果】
【００２４】
以上のように、本発明によって、消費電力が低く、患者の経済的負担を軽減することのできる安全性に優れた医療用酸素濃縮装置を提供することが可能になる。
【発明を実施するための最良の形態】
【００２５】
１．医療用酸素濃縮装置
本発明の医療用酸素濃縮装置の好適な実施態様を、図面を用いてより具体的に説明する。図１は、本発明の医療用酸素濃縮装置の好適な実施態様を示したシステムフロー図である。
【００２６】
本実施態様の医療用酸素濃縮装置は、図１に示すように、吸着筒１ａ，１ｂと、吸着筒切替弁２ａ，２ｂ，２ｃ，２ｄと、昇圧ポンプ３と、貯留タンク４と、流量設定手段５と、流量制御手段６と、真空ポンプ７とを備えたものとなっており、後述する吸着工程と再生工程とを吸着筒１ａ，１ｂで順次行うことにより、酸素濃縮ガスを連続的に生成して患者に供給することができるものとなっている。吸着筒１a，１ｂの上部（酸素濃縮ガス導出側の端部）に接続された並列な２本の流路には、それぞれ均圧弁８とパージ弁９とが設けられており、真空ポンプ７の空気排出側には、消音器１０が設けられている。
【００２７】
２．吸着筒
吸着筒１ａ，１ｂの内部には、窒素を選択的に吸着しうる吸着剤が収容されている。吸着筒１ａ，１ｂの形態は、とくに限定されないが、本実施態様の医療用酸素濃縮装置においては、円筒状のものを採用している。吸着筒１ａの上部は、逆止弁１１aを介して昇圧ポンプ３に接続されており、吸着筒１ｂの上部は、逆止弁１１ｂを介して昇圧ポンプ３に接続されている。一方、吸着筒１ａの下部（原料空気導入側の端部）は、吸着筒切替弁２ａを介して原料空気が導入されるフィルター１２に接続されている。また、吸着筒１ａの下部は、吸着筒切替弁２ｂを介して真空ポンプ７にも接続されている。
【００２８】
吸着筒１ａ、１ｂの容積は、取り出す酸素濃縮ガスの流量や吸着剤の吸着能などによって異なり、とくに限定されないが、大きすぎると医療用酸素濃縮装置の小型化が困難になるおそれがあり、小さすぎると酸素濃縮ガスを効率的に生成できなくなるおそれがある。このため、吸着筒１ａ，１ｂの容積は、通常、０．５〜５．０リットルに設定される。吸着筒１ａ，１ｂの容積は、１．０〜３．０リットルであると好ましく、２．０〜２．５リットルであるとより好ましい。
【００２９】
吸着筒１ａ，１ｂに収容する吸着剤は、窒素を選択的に吸着しうるものであればとくに限定されず、Ａ型ゼオライトやＸ型ゼオライトなどの合成ゼオライトが好適である。とくに、Ｘ型ゼオライトは優れた吸着能を発揮するために好ましい。本実施態様の医療用酸素濃縮装置においては、Ｘ型ゼオライトのなかでも、少ない圧力差で原料空気に含まれる窒素を多く吸着することのできる、リチウムイオンで交換されたゼオライトを吸着剤として使用している。吸着筒１ａと吸着筒１ｂとのそれぞれに収容する吸着剤の量は、取り出す酸素濃縮ガスの流量などによって異なり、とくに限定されないが、取り出す酸素濃縮ガスが毎分３リットル程度である場合、７００〜１２００ｇが適当である。
【００３０】
２．吸着筒切替弁
吸着筒切替弁２ａ，２ｂ，２ｃ，２ｄは、吸着筒１ａ，１ｂの下部に接続される流路を切り替えるためのものとなっている。この吸着筒切替弁２ａ，２ｂ，２ｃ，２ｄの具体的な動作については後述する。
【００３１】
３．昇圧ポンプ
昇圧ポンプ３は、吸着工程（大気圧近傍）にある吸着筒１ａ又は吸着筒１ｂに収容されている吸着剤に窒素を吸着させた酸素濃縮ガスを吸着筒１ａ，１ｂから吸い出し、貯留タンク４へと移送するためのものである。使用する昇圧ポンプの種類は、とくに限定しないが、レシプロケイト式や電磁ダイヤフラム式など、従来公知の各種のものを採用することができる。
【００３２】
また、酸素濃縮ガスを短時間で大量に移送する必要がない場合には、昇圧ポンプ３の移送能力をそれほど高くする必要はない。このため、本実施態様の医療用酸素濃縮装置は、取り出す酸素濃縮ガスの流量が少ない場合には、昇圧ポンプ３の移送能力を低く変更するようになっており、昇圧ポンプ３も、使用する酸素濃縮ガスの流量に応じて効率よく運転することで消費電力を抑えることができる。  
【００３３】
４．貯留タンク
貯留タンク４は、吸着筒から取り出された酸素濃縮ガスを一時的に貯留するためのものとなっている。貯留タンク４の形態は、とくに限定されないが、本実施態様の医療用酸素濃縮装置においては、円筒状のものを採用している。貯留タンク４の上部は、昇圧ポンプ３に接続されており、貯留タンク４の下部は、酸素濃縮ガスに含まれる微細な異物を除去するためのフィルター１３を介して流量制御手段６に接続されている。
【００３４】
貯留タンク４の容積は、取り出す酸素濃縮ガスの流量や貯留タンク４に加わる濃縮酸素ガスの圧力などによって異なり、とくに限定されないが、大きすぎると医療用酸素濃縮装置の小型化が困難になるおそれがあり、小さすぎると酸素濃縮ガスを患者へ連続的に供給できなくなるおそれがある。このため、貯留タンク４の容積は、通常、０．５〜５．０リットルに設定される。貯留タンク４の容積は、１．０〜３．０リットルであると好ましく、１．５〜２．５リットルであるとより好ましい。
【００３５】
５．流量設定手段
流量設定手段５は、取り出す酸素濃縮ガスの流量を医師の処方に基づいた値に患者が適宜設定するためのものとなっている。本実施態様の医療用酸素濃縮装置においては、流量設定手段５として、つまみを回さなくてもボタンスイッチを押すだけで流量を設定でき、指先が不自由な人でも容易に操作することのできる押ボタンスイッチ式のものを採用している。酸素濃縮ガスの流量は、毎分０．２５リットル、毎分０．５リットル、毎分０．７５リットル、毎分１．０リットル、毎分１．５リットル、毎分２．０リットル、毎分２．５リットル、毎分３．０リットルの８段階で設定できるようになっている。設定された流量は、流量表示手段（図示省略）に数字で表示されるようになっており、患者が確認することができるようになっている。
【００３６】
流量設定手段５に設ける押ボタンスイッチの種類や配置は、とくに限定されないが、本実施態様の医療用酸素濃縮装置においては、流量を１段階だけ大きな値に変更する流量増大用の押ボタンスイッチ（流量アップボタン）と、流量を１段階だけ小さな値に変更する流量減少用の押ボタンスイッチ（流量ダウンボタン）とを備えたものとなっており、機械の操作が苦手な人でも容易に操作できるようになっている。それぞれの押ボタンスイッチは共通な１枚の透明な防水シートで覆われており、防水シートの裏面には、押ボタンスイッチの種類を表示する文字や図形が印刷されている。
【００３７】
流量設定手段５に設定された流量を表示する流量表示手段としては、発光ダイオードを用いた表示器や、液晶モジュールを用いた表示器などが例示される。本実施態様の医療用酸素濃縮装置においては、流量表示手段として、７セグメント式の発光ダイオード表示器を採用している。流量表示手段は、表示する明るさを最適な値に調節できるようになっていると好ましい。これにより、流量設定手段５に設定された流量を昼夜を問わず容易に確認することが可能になる。また、流量表示手段から発せられる光がまぶしくて眠ることができないといった問題を解決することも可能になる。流量表示手段が表示する明るさは、光センサが検知した周囲の明るさに応じて変化するなど、自動的に調節されるようになっていてもよいし、患者が好みに応じて設定することができるように、手動で調節されるようになっていてもよい。
【００３８】
６．流量制御手段
流量制御手段６は、流量設定手段５に設定された流量に応じて、貯留タンク４から取り出す酸素濃縮ガスの流量を制御するためのものとなっている。流量制御手段６は、酸素濃縮ガスの流量を制御できるものであればとくに限定されず、径の異なる複数の孔を備えたオリフィスや、流量調節弁（減圧弁）などであってもよいが、本実施態様の医療用酸素濃縮装置においては、比例制御弁を用いている。この比例制御弁は、流量検知手段１９が検知した酸素濃縮ガスの流量によってフィードバック制御されるようになっており、酸素濃縮ガスの流量を高い精度で制御することができるようになっている。また、患者に供給される酸素濃縮ガスの流量の異常な増大を防ぐなど、患者の安全性を高めることもできるようになっている。
【００３９】
流量制御手段６を通過した酸素濃縮ガスは、非常に乾燥しており、水分を殆ど含んでいないため、患者がそのまま長時間吸入すると、口や鼻の粘膜を痛めるおそれがある。このため、本実施態様の医療用酸素濃縮装置は、流量制御手段６と酸素濃縮ガス送出口１５との間に加湿手段１４を設けており、酸素濃縮ガスの湿度を加湿手段１４で高めてから患者に供給するようになっている。流量制御手段６と加湿手段１４とを結ぶ流路には、酸素濃縮ガスの酸素濃度を検知するための酸素濃度検知手段１６と、酸素濃縮ガスの圧力を検知するための圧力検知手段１７と、酸素濃縮ガスの流量を検知するための流量検知手段１９と、酸素濃縮ガスの逆流を防止するための逆止弁１８とが設けられている。
【００４０】
７．真空ポンプ
真空ポンプ７は、吸着筒の圧力を真空領域にまで低下させるためのものとなっている。真空ポンプ７を駆動するモータの種類は、とくに限定されず、交流モータや直流ブラシレスモータを使用することができる。
【００４１】
本実施態様の医療用酸素濃縮装置において、真空ポンプ７には冷却ファン２０が備えられており、真空ポンプ７を冷却することができるようになっている。ただし、酸素濃縮ガスを短時間で大量に生成する必要がない場合には、冷却ファン２０の回転数はそれほど高くする必要がない。このため、本実施態様の医療用酸素濃縮装置は、流量設定手段５に設定された流量が少ない場合には、冷却ファン２０の回転数が低く変更されるようになっており、医療用酸素濃縮装置の消費電力を抑えることができるようになっている。
【００４２】
８．均圧弁
均圧弁８は、上部均圧工程を行うためのものとなっている。均圧弁８の具体的な動作や上部均圧工程については後述する。
【００４３】
９．パージ弁
パージ弁９は、パージ工程を行うためのものとなっている。パージ弁９の具体的な動作やパージ工程については後述する。
【００４４】
１０．消音器
消音器１０は、真空ポンプ７から送出されたガスの脈動に起因する不快な騒音を軽減するためのものとなっている。図２は、図１における消音器１０を切断した状態を示した断面図である。消音器１０の形態は、とくに限定されないが、図２に示すように、タンク部１０ａにガス導入口１０ｂとガス排出口１０ｃとを有し、ガス導入口１０ｂからタンク部１０ａの内部に導入されたガスを迂回させてガス排出口１０ｃから排出させることができるようにしたものであると好ましい。これにより、消音器１０の消音作用を高めることができる。ガス導入口１０ｂとガス排出口１０ｃは、タンク部１０ａの同じ側に設けると好ましい。これにより、消音器１０の寸法を小さくすることが可能になる。ガス排出口１０ｃをノズル状に形成してタンク部１０ａの外部へ突出させることも好ましい。これにより、消音器１０の消音作用をさらに高めることができる。
【００４５】
タンク部１０aの容積は、真空ポンプ７の種類などによっても異なり、とくに限定されないが、小さすぎると真空ポンプ７から送出されたガスの脈動を十分に緩和することができず、消音効果が低下するおそれがあり、大きすぎると医療用酸素濃縮装置の小型化が困難になるおそれがある。このため、タンク部１０aの容積は、通常、０．１〜１．０リットルに設定される。タンク部１０aの容積は、０．２〜０．５リットルであると好ましい。本実施態様の医療用酸素濃縮装置において、タンク部１０aの容積は、０．３リットルとなっている。
【００４６】
タンク部１０aの素材は、とくに限定されず、アルミニウムなどの金属であってもよいが、ポリプロピレンなどの樹脂であると好ましい。これにより、消音器１０の製造コストを低減するだけでなく、消音器１０を軽量化することも可能になる。タンク部１０ａには、補強リブなどを設けてもよい。本実施態様の医療用酸素濃縮装置において、タンク部１０ａは、ポリプロピレンをブロー成形したものとなっている。原料空気をコンプレッサーなどで圧縮して吸着筒１ａ，１ｂに供給する従来の医療用酸素濃縮装置では、吸着筒から短時間で大量のガスが送出されるので、消音器１０の耐圧を高める必要があるが、原料空気を吸着筒１ａ，１ｂに自然流入させる本発明の医療用酸素濃縮装置は、真空ポンプ７からガスが緩やかに送出されるので、消音器１０の耐圧を高める必要性が低い。このため、樹脂で成形された消音器１０を用いることができる。
【００４７】
１１．医療用酸素濃縮装置の作動方法
続いて、上記の医療用酸素濃縮装置の具体的な作動方法について説明する。図３は、本発明の医療用酸素濃縮装置を駆動する動作シーケンスの一例を示したタイミングチャートである。図４は、図１の医療用酸素濃縮装置を図３の動作シーケンスで駆動した場合における吸着筒１ａの真空度の変動を示したグラフである。図５は、図１の医療用酸素濃縮装置を図３の動作シーケンスで駆動した場合における吸着筒１ｂの真空度の変動を示したグラフである。
【００４８】
図３の動作シーケンスは、８つのステップＳ１〜Ｓ８を順次繰り返し行うことにより、吸着筒１ａと吸着筒１ｂとで酸素濃縮ガスを生成する。ステップＳ１〜Ｓ８において、吸着筒１ａと吸着筒１ｂでは、それぞれ下記表１に示す工程が行われる。ステップＳ８が終わると、再びステップＳ１に戻る。図３の動作シーケンスは、取り出す酸素濃縮ガスの流量が多い（大流量である）場合のタイミングチャートである。
【表１】
2007296203.tif 000003
【００４９】
１２．吸着工程
吸着工程は、再生工程を終えて減圧状態にある吸着筒に原料空気を自然流入させ、原料空気に含まれる窒素を吸着剤に吸着させることによって、酸素濃度が高められた酸素濃縮ガスを生成する工程である。
【００５０】
吸着筒１ａの吸着工程は、上記表１に示すように、ステップＳ１で行われる。本実施態様の医療用酸素濃縮装置において、吸着筒１ａの吸着工程は、吸着筒切替弁２ａを開き、吸着筒切替弁２ｂを閉じた状態で行われる。このとき、原料空気導入口１２から医療用酸素濃縮装置の内部へ導入された原料空気は、吸着筒切替弁２ａを通過して吸着筒１ａの内部へと自然流入する。したがって、吸着筒１ａの圧力は、図４に示すように、大気圧近傍まで上昇する。吸着筒１ａで生成された酸素濃縮ガスは、逆止弁１１aを通過した後、昇圧ポンプ３によって貯留タンク４に貯留される。
【００５１】
一方、吸着筒１ｂの吸着工程は、上記表１に示すように、ステップＳ５で行われる。本実施態様の医療用酸素濃縮装置において、吸着筒１ｂの吸着工程は、吸着筒切替弁２ｃを開き、吸着筒切替弁２ｄを閉じた状態で行われる。このとき、原料空気導入口１２から医療用酸素濃縮装置の内部へ導入された原料空気は、吸着筒切替弁２ｃを通過して吸着筒１ｂの内部へと自然流入する。したがって、吸着筒１ｂの圧力は、図５に示すように、大気圧近傍まで上昇する。吸着筒１ｂで生成された酸素濃縮ガスは、逆止弁１１ｂを通過した後、昇圧ポンプ３によって貯留タンク４に貯留される。
【００５２】
１３．パージ工程
パージ工程は、吸着工程を終えた吸着筒の内部に残っている酸素濃縮ガスを、再生工程を終えた（次に吸着工程が開始される）他の吸着筒へと移送し、他の吸着筒の内部に残っている酸素濃度が低いガス（窒素濃度が高いガス）を外部へと追い出すことにより、酸素濃度が低いガスを酸素濃縮ガスで置換する工程である。
【００５３】
このパージ工程は、上記表１に示すように、ステップＳ２とステップＳ６とで行われる。ステップＳ２では、吸着筒１ａの内部に残っている酸素濃縮ガスが吸着筒１ｂへと移送され、ステップＳ６では、吸着筒１ｂの内部に残っている酸素濃縮ガスが吸着筒１ａへと移送される。
【００５４】
本実施態様の医療用酸素濃縮装置において、パージ工程は、パージ弁９を開き、吸着筒１ａの上部と吸着筒１ｂの上部とを連通させることによって行われる。このとき、他の吸着筒の内部に残っている酸素濃度が低いガス（窒素濃度が高いガス）が他の吸着筒の外部へと排出されるように、ステップＳ２のパージ工程は、吸着筒切替弁２ｄを開いた状態で行い、ステップＳ６のパージ工程は、吸着筒切替弁２ｂを開いた状態で行う。
【００５５】
本実施態様の医療用酸素濃縮装置においては、パージ弁９が設けられた流路に、パージ弁９と直列にオリフィス２１を設けている。このため、パージ工程において、吸着筒１ａから吸着筒１ｂあるいは吸着筒１ｂから吸着筒１ａへと一度に大量の酸素濃縮ガスが流れ込まないようになっており、酸素濃縮ガスと酸素濃度の低いガス（窒素濃度が高いガス）とがパージ工程を行っている吸着筒の内部で過度に混ざるのを防止している。
【００５６】
以上のパージ工程を行うことによって、酸素濃縮ガスをより効率的に高めることができるようになる。ただし、酸素濃縮ガスを短時間で大量に生成する必要がない場合には、酸素濃縮ガスの生成が多少非効率的であってよいので、本実施態様の医療用酸素濃縮装置においては、流量設定手段５に設定された流量が少ない場合にパージ弁９を開く時間が短く変更され、パージ工程を行う時間が短くなるように設定されている。
【００５７】
１４．上部均圧工程
上部均圧工程は、吸着工程を終えた吸着筒の上部に残留している高濃度の酸素濃縮ガスを、再生工程を終えた（次に吸着工程が行われる）他の吸着筒の上部へと移送し、次に吸着工程が行われる吸着筒の圧力を予め高めておく工程である。
【００５８】
この上部均圧工程は、上記表１に示すように、ステップＳ３とステップＳ７とで行われる。ステップＳ３では、吸着筒１ａの上部に残留している高濃度の酸素濃縮ガスが吸着筒１ｂの上部へと移送され、ステップＳ７では、吸着筒１ｂの上部に残留している高濃度の酸素濃縮ガスが吸着筒１ａへと移送される。
【００５９】
本実施態様の医療用酸素濃縮装置において、上部均圧工程は、均圧弁８を開き、吸着筒１ａの上部と吸着筒１ｂの上部とを連通させることによって行われる。このとき、再生工程を終えて減圧状態にある吸着筒へ移送された酸素濃縮ガスが外部へ抜け出ないように上部均圧工程の時間を調整する必要がある。ステップＳ３の上部均圧工程は、吸着筒切替弁２ｄを閉じた状態で行い、ステップＳ７の上部均圧工程は、吸着筒切替弁２ｂを閉じた状態で行う。
【００６０】
以上の上部均圧工程を行うことによって、酸素濃縮ガスをより効率的に生成することができる。ただし、酸素濃縮ガスを短時間で大量に生成する必要がない場合には、酸素濃縮ガスの生成が多少非効率的であってもよい。このため、本実施態様の医療用酸素濃縮装置は、流量設定手段５に設定された流量が少ない場合に、均圧弁８を開く時間が短く変更され、上部均圧工程を行う時間が短縮されるようになっている。
【００６１】
１５．下部均圧工程
下部均圧工程は、吸着工程を終えた吸着筒の下部に残留している成分が空気に比較的近いガスを、再生工程を終えた（次に吸着工程が行われる）他の吸着筒の下部へと移送し、次に吸着工程が行われる吸着筒の圧力を予め高めておく工程である。下部均圧工程は、上部均圧工程と同時に行ってもよい。
【００６２】
この下部均圧工程は、上記表１に示すように、ステップＳ４とステップＳ８とで行われる。ステップＳ４では、吸着筒１ａの下部に残留しているガスが吸着筒１ｂの下部へと移送され、ステップＳ８では、吸着筒１ｂの下部に残留しているガスが吸着筒１ａの下部へと移送される。
【００６３】
本実施態様の医療用酸素濃縮装置において、下部均圧工程は、吸着筒切替弁２ａと吸着筒切替弁２ｃとを開き、吸着筒１ａの下部と吸着筒１ｂの下部とを連通させることによって行われる。このとき、吸着工程を終えた吸着筒から移送されてきた、成分が空気に比較的近いガスが、次に吸着工程が行われる吸着筒の上部へ抜け出ないように、下部均圧工程の時間を調整する必要がある。ステップＳ４の下部均圧工程とステップＳ８の下部均圧工程はいずれも、吸着筒切替弁２ｂと吸着筒切替弁２ｄとを閉じた状態で行う。
【００６４】
以上の下部均圧工程を行うことによって、酸素濃縮ガスをより効率的に生成することができるようになる。ただし、酸素濃縮ガスを短時間で大量に生成する必要がない場合には、酸素濃縮ガスの生成が多少非効率的であってもよい。このため、本実施態様の医療用酸素濃縮装置は、流量設定手段５に設定された流量が少ない場合に、吸着筒切替弁２ａ，２ｃを開く時間が短く変更され、下部均圧工程を行う時間が短縮されるようになっている。
【００６５】
１６．再生工程
再生工程は、吸着工程を終えた吸着筒の圧力を低下させ（吸着筒の真空度を高め）、吸着剤に吸着されていた窒素及び水分を脱離させて吸着筒の外部へ排出することによって、吸着剤の吸着能を再生する工程である。
【００６６】
吸着筒１ａの再生工程は、上記の表１に示すように、ステップＳ５で行われる。本実施態様の医療用酸素濃縮装置において、吸着筒１ａの再生工程は、吸着筒切替弁２ａを閉じ、吸着筒切替弁２ｂを開いた状態で行われる。このとき、吸着筒１ａと吸着筒１ｂが連通していると、原料空気が吸着筒１ｂから吸着筒１ａへ流れ込んで吸着筒１ａの圧力が上昇してしまうために、吸着筒１ａの再生工程は、パージ弁９と均圧弁８とを閉じた状態で行われる。吸着筒１ａの内部に残っていたガスは、真空ポンプ７によって吸引され、消音器１０から外気へと排出される。吸着筒１ａの再生工程が終わる頃には、吸着筒１ａの真空度は、図４に示すように、７０ｋＰａ程度にまで達している。
【００６７】
吸着筒１ｂの再生工程は、上記の表１に示すように、ステップＳ１で行われる。本実施態様の医療用酸素濃縮装置において、吸着筒１ｂの再生工程は、吸着筒切替弁２ｃを閉じ、吸着筒切替弁２ｄを開いた状態で行われる。このとき、吸着筒１ａと吸着筒１ｂが連通していると、原料空気が吸着筒１ａから吸着筒１ｂへ流れ込んで吸着筒１ｂの圧力が上昇してしまうために、吸着筒１ｂの再生工程も、パージ弁９と均圧弁８とを閉じた状態で行われる。吸着筒１ｂの内部に残っていたガスは、真空ポンプ７によって吸引され、消音器１０から外気へと排出される。吸着筒１ｂの再生工程が終わる頃には、吸着筒１ｂの真空度は、図５に示すように、７０ｋＰａ程度にまで達している。
【００６８】
１７．真空ポンプを交流モータで駆動する場合における医療用酸素濃縮装置の作動方法
図９は、図１の真空ポンプ７に交流１００Ｖの電源電圧を印加した場合における真空ポンプ７の消費電力の変化を示したグラフである。図１０は、図１の真空ポンプ７に交流７０Ｖの電源電圧を印加した場合における真空ポンプ７の消費電力の変化を示したグラフである。図９と図１０を見ると、真空ポンプ７の消費電力は、真空度が０ｋＰａから５０ｋＰａ程度になるまでの範囲では単調に増加するものの、真空度が５０ｋＰａを超えたあたりをピークに減少していくことが分かる。
【００６９】
したがって、真空ポンプ７を交流モータで駆動する場合には、再生工程にある吸着筒の真空度を５０ｋＰａを超える範囲でできるだけ高め、その状態を長時間維持することで、真空ポンプ７の消費電力を抑えることができる。吸着筒の真空度を高めるためには、再生工程を行う時間を長くする必要がある。しかし、流量設定手段５に設定された流量が多く、短いサイクルで多量の酸素濃縮ガスを生成する必要がある場合には、再生工程を長く確保することが困難である。このため、本実施態様の医療用酸素濃縮装置は、流量設定手段５に設定された流量が多い場合には再生工程を行う時間を短く設定し、流量設定手段５に設定された流量が少ない場合にのみ再生工程を行う時間を長く設定するようになっている。
【００７０】
例えば、流量設定手段５に設定された流量が多い場合には、医療用酸素濃縮装置を図３の動作シーケンスで作動させ、流量設定手段５に設定された流量が少ない場合には、医療用酸素濃縮装置を図６の動作シーケンスで作動させると好ましい。図６は、本発明の医療用酸素濃縮装置を駆動する動作シーケンスの他の例を示したタイミングチャートである。図７は、図１の医療用酸素濃縮装置を図６の動作シーケンスで駆動した場合における吸着筒１ａの真空度の変動を示したグラフである。図８は、図１の医療用酸素濃縮装置を図６の動作シーケンスで駆動した場合における吸着筒１ｂの真空度の変動を示したグラフである。
【００７１】
図６の動作シーケンスは、４つのステップＳ１０〜Ｓ１３を順次繰り返し行うことにより、吸着筒１ａと吸着筒１ｂとで酸素濃縮ガスを生成するものとなっている。ステップＳ１０〜Ｓ１３において、吸着筒１ａと吸着筒１ｂでは、それぞれ下記表２に示す工程が行われている。ステップＳ１３が終わると、再びステップＳ１０に戻る。図６の動作シーケンスは、少ない流量の酸素濃縮ガスを効率的に生成することができるものとなっている。
【表２】
2007296203.tif 000004
【００７２】
図６の動作シーケンスは、図３の動作シーケンスよりも再生工程を行う時間が長く設定されている。このため、吸着筒１ａ，１ｂの真空度は、図７と図８に示すように、再生工程が終わる頃には９０ｋＰａにまで達するようになっている。また、図６の動作シーケンスでは、上部均圧工程と下部均圧工程とが同時に行われるようになっており、図３の動作シーケンスよりも均圧工程を行う時間が短く設定されている。さらに、図６に示す動作シーケンスでは、パージ工程が省かれており、パージ弁９は実質的に均圧弁８と同様の作用をするようになっている。図６の動作シーケンスは、少ない流量の酸素濃縮ガスを効率的に生成することができるものとなっている。
【００７３】
また、真空ポンプ７を交流モータで駆動する場合には、医療用酸素濃縮装置の起動開始から所定時間が経過するまでの間は交流モータの電圧が高く設定され、医療用酸素濃縮装置の起動開始から所定時間が経過した後は交流モータの電圧が低く設定されると好ましい。これにより、真空ポンプ７を短時間で起動しながらも、真空ポンプ７の消費電力を抑えることが可能になる。
【００７４】
１８．真空ポンプを直流ブラシレスモータで駆動する場合における医療用酸素濃縮装置の作動方法
真空ポンプ７を直流ブラシレスモータで駆動する場合には、流量設定手段５に設定された流量に応じて、直流ブラシレスモータの回転数を変化させると好ましい。すなわち、流量設定手段５に設定された流量が多い場合には、直流ブラシレスモータの回転数を高く設定し、流量設定手段５に設定された流量が少ない場合には、直流ブラシレスモータの回転数を低く設定する。これにより、真空ポンプを駆動する直流ブラシレスモータの消費電力を抑えることが可能になる。また、流量設定手段５に設定された酸素濃縮ガスの流量に応じて、再生工程、上部均圧工程又は下部均圧工程を行う時間の長さを変更することも好ましい。これにより、医療用酸素濃縮装置をより最適な条件で運転することが可能になり、医療用酸素濃縮装置の消費電力を従来品に比べて大幅に低減することができる。
【００７５】
１９．用途
本発明の医療用酸素濃縮装置は、安全性が高いために、酸素吸入療法に用いるものとして好適である。また、消費電力が低く、低騒音であり、かつ小型化も容易であるために、在宅で酸素吸入療法を行う際に用いるものとしてとくに好適である。さらに、携帯型の医療用酸素濃縮装置としての需要も大いに期待される。
【図面の簡単な説明】
【００７６】
【図１】本発明の医療用酸素濃縮装置の好適な実施態様を示したシステムフロー図である。
【図２】図１における消音器１０を切断した状態を示した断面図である。
【図３】本発明の医療用酸素濃縮装置を駆動する動作シーケンスの一例を示したタイミングチャートである。
【図４】図１の医療用酸素濃縮装置を図３の動作シーケンスで駆動した場合における吸着筒１ａの真空度の変動を示したグラフである。
【図５】図１の医療用酸素濃縮装置を図３の動作シーケンスで駆動した場合における吸着筒１ｂの真空度の変動を示したグラフである。
【図６】本発明の医療用酸素濃縮装置を駆動する動作シーケンスの他の例を示したタイミングチャートである。
【図７】図１の医療用酸素濃縮装置を図６の動作シーケンスで駆動した場合における吸着筒１ａの真空度の変動を示したグラフである。
【図８】図１の医療用酸素濃縮装置を図６の動作シーケンスで駆動した場合における吸着筒１ｂの真空度の変動を示したグラフである。
【図９】図１の真空ポンプ７に交流１００Ｖの電源電圧を印加した場合における真空ポンプ７の消費電力の変化を示したグラフである。
【図１０】図１の真空ポンプ７に交流７０Ｖの電源電圧を印加した場合における真空ポンプ７の消費電力の変化を示したグラフである。
【符号の説明】
【００７７】
１ａ  吸着筒
１ｂ  吸着筒
２ａ  吸着筒切替弁
２ｂ  吸着筒切替弁
２ｃ  吸着筒切替弁
２ｄ  吸着筒切替弁
３    昇圧ポンプ
４    貯留タンク
５    流量設定手段
６    流量制御手段
７    真空ポンプ
８    均圧弁
９    パージ弁
１０    消音器
１１ａ  逆止弁
１１ｂ  逆止弁
１２    フィルター（原料空気導入口）
１３    フィルター
１４    加湿手段
１５    酸素濃縮ガス送出口
１６    酸素濃度検知手段
１７    圧力検知手段
１８    逆止弁
１９    流量検知手段
２０    冷却ファン
２１    オリフィス
【図１】
2007296203.tif 000005
【図２】
2007296203.tif 000006
【図３】
2007296203.tif 000007
【図４】
2007296203.tif 000008
【図５】
2007296203.tif 000009
【図６】
2007296203.tif 000010
【図７】
2007296203.tif 000011
【図８】
2007296203.tif 000012
【図９】
2007296203.tif 000013
【図１０】
2007296203.tif 000014